(57)【要約】【課題】本考案は、四角環状の指輪の内径寸法を測定するためのリングゲージに関するものである。【解決手段】リングゲージ１が多数のゲージ構成リング２からなっており、内径寸法が異なる相似形状の四角環状のゲージ構成リング２を識別可能に多数設けて、使用者が装着しうる四角環状の指輪のサイズを測定しうるようになっている。リングゲージ１は断面が四角形状からなる縦型の棒状体であってもよく、截頭角錐状に形成されると共に長さ方向で所定間隔毎に位置表示部と該当位置の外形寸法または外形寸法に適合した号数を表示するようにしてもよい。【選択図】  図１
0003141074.tif 000002
【実用新案登録請求の範囲】
【請求項１】
リングゲージが多数のゲージ構成リングからなっており、内径寸法が異なる相似形状の四角環状のゲージ構成リングを識別可能に多数設けて、使用者が装着しうる四角環状の指輪のサイズを測定しうることを特徴とするリングゲージ。
【請求項２】
リングゲージは断面が四角形状からなる縦型の棒状体からなっており、上端部から下端部に向けて漸次幅広に拡大する截頭角錐状に形成されると共に、長さ方向で所定間隔毎に、位置表示部と該当位置の外形寸法または外形寸法に適合した号数を表示してなることを特徴とするリングゲージ。
【考案の詳細な説明】
【技術分野】
【０００１】
本考案は、四角環状の指輪の内径寸法を測定するためのリングゲージに関するものである。
【背景技術】
【０００２】
指輪の内径寸法を測定するリングゲージは、円環形状リングであって、個々の内径寸法ごとのサイズに設定されたリングゲージを多数設け、使用者の指に装着してリングサイズを計測しうるようになっている。
しかし、従来のリングゲージは円環形状に限られていたため、近時用いられるようになった略四角環状のリングに適用することができないという不具合があった。
即ち、人の指は、断面が真円より四角形に近い形状であるため、円環形状のリングゲージを用いて測定した場合のサイズは、四角環状のリングのサイズよりも大きくなって合わないという欠点があった。
【特許文献１】実用新案登録第３０１８３９９号公報
【考案の開示】
【考案が解決しようとする課題】
【０００３】
本考案は、上記欠点を解消するために創案されたものであって、その主たる課題は、四角環状の指輪の内径寸法を測定することができるリングゲージを提供することにある。
【課題を解決するための手段】
【０００４】
上記課題を解決するために、
請求項１のリングゲージの考案では、
リングゲージが多数のゲージ構成リングからなっており、内径寸法が異なる相似形状の四角環状のゲージ構成リングを識別可能に多数設けて、使用者が装着しうる四角環状の指輪のサイズを測定しうるようにしたことを特徴とする。
この考案で四角環状とは、正方形やこれに準じた四角形であって、角部は湾曲または斜めに面取りされた形状も含む。
【０００５】
請求項２の考案では、
リングゲージは断面が四角形状からなる縦型の棒状体からなっており、上端部から下端部に向けて漸次幅広に拡大する截頭角錐状に形成されると共に、長さ方向で所定間隔毎に、位置表示部と該当位置の外形寸法または外形寸法に適合した号数を表示してなることを特徴とする。
この考案で、断面が四角形状とは正方形やこれに準じた四角形であって、角部は湾曲または斜めに面取りされた形状も含む。
【考案の効果】
【０００６】
請求項１のリングゲージは、ゲージ構成リングが四角環状の相似形からなっているので、使用者の指にフィットする内径寸法のゲージ構成リングを選択することで、四角環状の指輪の最適のサイズを判別することができる。
請求項２のリングゲージは、截頭角錐形状からなっているので、四角環状の指輪を上から通すことで、その指輪の内径寸法（棒状体の外形寸法）を計測することができる。
【考案を実施するための最良の形態】
【０００７】
ゲージ構成リングやゲージ用の棒状体をその内径寸法または外形寸法が異なる相似形状とすることで、四角環状の指輪のサイズの計測を実現した。
【実施例１】
【０００８】
図１は、実施例１のリングゲージ１であって、多数のゲージ構成リング２からなっている。
ゲージ構成リング２は、内径寸法が異なる相似形状の四角環状体からなっている。
【０００９】
リングゲージ１は、上記多数の相似形状のゲージ構成リング２にそれぞれ小さい吊り輪３を固着し、各吊り輪３を１つの大径のリング金具４に挿通してリングゲージ１として使用に供する。
【００１０】
ここでゲージ構成リング２は、図３（ａ）に示すように正方形でコーナー部２ｃの全部が湾曲に面取りされた四角環状体を例示したが、面取りしない正方形の四角環状体（図３（ｂ）参照）でも、あるいは斜めにテーパー状に面取りされた四角環状体（図３（ｃ）参照）であってもよい。
また、面取り個所のサイズも適宜設定しうるし、前記リング２のコーナー部２ｃの一部だけが面取りされたものでもよい。
また、正方形を構成する辺は直線に限らず外向きに湾曲するなだらかな曲線であってもよい（図３（ｄ）参照）。
【００１１】
各ゲージ構成リング２の識別は、ゲージ構成リング２の一部にサイズ表示部５を設け、該サイズ表示部５に当該リング内径の寸法や該寸法に適合した号数などのサイズを表示している（図１参照）。
識別のための表示は、上記のようにゲージ構成リング２に直接設けるものでも、あるいはゲージ構成リング２とは別体のタグなどを結びつけるなどの公知の手段を用いてもよい。
【００１２】
また、ゲージ構成リング２は縦横の辺の長さをほぼ同一とした場合を例示したが、縦または横の辺いずれか一方が他方より僅かに長い長方形状とするものであってもよい。
この場合も、コーナー部の全部または一部が面取りされているものでもよし、各辺は曲線で構成されていてもよい。
【実施例２】
【００１３】
この多数のゲージ構成リング２は、各ゲージ構成リング２毎に別々に分離していてもよい。
図２に示す実施例２のリングゲージ１は、ゲージ構成リング２を１つづつ、同じケース１０内に収納しておき、セットとして使用に供するものである。
【００１４】
また、各ゲージ構成リング２の識別は、前記実施例と同様にゲージ構成リング２にサイズ表示部５を形成した場合を示したが、ゲージ構成リング２にサイズ表示部５を設けず、ケース１０の収納個所に表示部（図示せず）を設けて収納するゲージ構成リング２の内径寸法またはこれに適合する号数などを表示するものでもよく、公知の構成を用いてもよい。
その他のゲージ構成リング２の構成は、前記実施例１と同様であるのでその説明を省略する。
【００１５】
このように構成されているので、使用者は、多数のゲージ構成リング２を嵌めて自分の指に最もフィットするサイズのゲージ構成リング２を調べ、自分の指のサイズを測定することができる。
【実施例３】
【００１６】
図４は、実施例３のリングゲージ１であって、断面が略四角形状からなる縦型の棒状体１１からなっている。
この棒状体１１は、上端部から下端部に向けて漸次幅広に拡大する截頭角錐状に形成されている。
符号１６は棒状体１１の台座である。
【００１７】
そして、棒状体１１の長さ方向で所定間隔毎に、位置表示と該当位置の外形寸法または外形寸法に適合した号数を表示するサイズ表示部１５を有している。
この場合、断面形状は、相似形の四角形からなっている。
【００１８】
本実施例の截頭角錐体からなる棒状体１１の断面形状として、前記実施例１と同様に本実施例では図５（ａ）に示すように正方形でコーナー部１１ｃの全部が湾曲に面取りされた四角断面形状を例示したが、面取りしない正方形の四角断面形状（図５（ｂ）参照）、斜めにテーパー状に面取りされた四角断面形状（図５（ｃ）参照）であってもよく、面取り個所のサイズも適宜設定しうるし、４個所あるコーナー部１１ｃの一部だけが面取りされたものでもよい。
また、縦横の辺は直線に限らず外向きに湾曲するなだらかな曲線であってもよい（図５（ｄ）参照）。
【００１９】
また、正方形を基本形状としたが、縦または横のいずれか一方が他方より僅かに長い長方形を基本形状とするものであってもよい。
この場合も、４個所あるコーナー部の全部または一部の個所が面取りされているものでもよし、各辺は曲線で構成されていてもよい。
【００２０】
このように構成されているので、使用者は、四角環状の指輪を棒状体１１のリングゲージ１の上から通してその指輪が掛け止められた位置での位置表示部１２とこれに対応した寸法表示部１３のサイズを読み取って指輪のサイズを計測することができる。
このように、この考案のリングゲージを用いることで、従来、計測ができなかった四角環状の指輪のサイズを容易に計測することができる。
この考案は、上記実施例に限定されず、この考案の要旨を変更しない範囲で種々設計変更しうること勿論である。
【図面の簡単な説明】
【００２１】
【図１】実施例１のリングゲージの斜視図である。
【図２】実施例２のリングゲージの斜視図である。
【図３】ゲージ構成リングの平面図であって、（ａ）はコーナーが湾曲状に面取りされたもの、（ｂ）はコーナーが直角のもの、（ｃ）はコーナーが斜線状に面取りされたもの、（ｄ）は縦、横の辺が湾曲したものである。
【図４】実施例３のリングゲージの斜視図である。
【図５】棒状体の断面図であって、（ａ）はコーナーが湾曲状に面取りされたもの、（ｂ）はコーナーが直角のもの、（ｃ）はコーナーが斜線状に面取りされたもの、（ｄ）は縦、横の辺が湾曲したものである。
【符号の説明】
【００２２】
１    リングゲージ
２    ゲージ構成リング
２ｃ  コーナー部
５    サイズ表示部
１０    ケース
１１    棒状体
１１ｃ  コーナー部
１５    サイズ表示部
１６    台座
【図１】
0003141074.tif 000003
【図２】
0003141074.tif 000004
【図３】
0003141074.tif 000005
【図４】
0003141074.tif 000006
【図５】
0003141074.tif 000007
【手続補正書】
【提出日】平成20年2月12日(2008.2.12)
【手続補正１】
【補正対象書類名】実用新案登録請求の範囲
【補正対象項目名】全文
【補正方法】変更
【補正の内容】
【実用新案登録請求の範囲】
【請求項１】
多数のゲージ構成リングからなって使用者が装着可能な指輪のサイズを測定しうるリングゲージにおいて、
各ゲージ構成リングが、内径寸法の異なる相似形状の四角環状体からなっていることを特徴とするリングゲージ。
【請求項２】
ゲージ構成リングの一部にサイズ表示部が設けられており、該サイズ表示部に前記ゲージ構成リングの内径の寸法または該寸法に適合した号数からなる識別用のサイズが表示されていることを特徴とする請求項１に記載のリングゲージ。
【手続補正２】
【補正対象書類名】明細書
【補正対象項目名】全文
【補正方法】変更
【補正の内容】
【考案の詳細な説明】
【技術分野】
【０００１】
本考案は、四角環状の指輪の内径寸法を測定するためのリングゲージに関するものである。
【背景技術】
【０００２】
指輪の内径寸法を測定するリングゲージは、円環形状リングであって、個々の内径寸法ごとのサイズに設定されたリングゲージを多数設け、使用者の指に装着してリングサイズを計測しうるようになっている。
しかし、従来のリングゲージは円環形状に限られていたため、近時用いられるようになった略四角環状のリングに適用することができないという不具合があった。
即ち、人の指は、断面が真円より四角形に近い形状であるため、円環形状のリングゲージを用いて測定した場合のサイズは、四角環状のリングのサイズよりも大きくなって合わないという欠点があった。
【特許文献１】実用新案登録第３０１８３９９号公報
【考案の開示】
【考案が解決しようとする課題】
【０００３】
本考案は、上記欠点を解消するために創案されたものであって、その主たる課題は、四角環状の指輪の内径寸法を測定することができるリングゲージを提供することにある。
【課題を解決するための手段】
【０００４】
上記課題を解決するために、
請求項１のリングゲージの考案では、
多数のゲージ構成リングからなって使用者が装着可能な指輪のサイズを測定しうるリングゲージにおいて、
各ゲージ構成リングが、内径寸法の異なる相似形状の四角環状体からなっていることを特徴とする。
この考案で四角環状とは、正方形やこれに準じた四角形であって、角部は湾曲または斜めに面取りされた形状も含む。
【０００５】
請求項２の考案では、
ゲージ構成リングの一部にサイズ表示部が設けられており、該サイズ表示部に前記ゲージ構成リングの内径の寸法または該寸法に適合した号数からなる識別用のサイズが表示されていることを特徴とする。
【考案の効果】
【０００６】
この考案のリングゲージは、ゲージ構成リングが四角環状の相似形からなっているので、使用者の指にフィットする内径寸法のゲージ構成リングを選択することで、四角環状の指輪の最適のサイズを判別することができる。
【考案を実施するための最良の形態】
【０００７】
ゲージ構成リングをその内径寸法が異なる相似形状とすることで、四角環状の指輪のサイズの計測を実現した。
【実施例１】
【０００８】
図１は、実施例１のリングゲージ１であって、多数のゲージ構成リング２からなっている。
ゲージ構成リング２は、内径寸法が異なる相似形状の四角環状体からなっている。
【０００９】
リングゲージ１は、上記多数の相似形状のゲージ構成リング２にそれぞれ小さい吊り輪３を固着し、各吊り輪３を１つの大径のリング金具４に挿通してリングゲージ１として使用に供する。
【００１０】
ここでゲージ構成リング２は、図３（ａ）に示すように正方形でコーナー部２ｃの全部が湾曲に面取りされた四角環状体を例示したが、面取りしない正方形の四角環状体（図３（ｂ）参照）でも、あるいは斜めにテーパー状に面取りされた四角環状体（図３（ｃ）参照）であってもよい。
また、面取り個所のサイズも適宜設定しうるし、前記リング２のコーナー部２ｃの一部だけが面取りされたものでもよい。
また、正方形を構成する辺は直線に限らず外向きに湾曲するなだらかな曲線であってもよい（図３（ｄ）参照）。
【００１１】
各ゲージ構成リング２の識別は、ゲージ構成リング２の一部にサイズ表示部５を設け、該サイズ表示部５に当該リング内径の寸法や該寸法に適合した号数などのサイズを表示している（図１参照）。
識別のための表示は、上記のようにゲージ構成リング２に直接設けるものでも、あるいはゲージ構成リング２とは別体のタグなどを結びつけるなどの公知の手段を用いてもよい。
【００１２】
また、ゲージ構成リング２は縦横の辺の長さをほぼ同一とした場合を例示したが、縦または横の辺いずれか一方が他方より僅かに長い長方形状とするものであってもよい。
この場合も、コーナー部の全部または一部が面取りされているものでもよく、各辺は曲線で構成されていてもよい。
【実施例２】
【００１３】
この多数のゲージ構成リング２は、各ゲージ構成リング２毎に別々に分離していてもよい。
図２に示す実施例２のリングゲージ１は、ゲージ構成リング２を１つづつ、同じケース１０内に収納しておき、セットとして使用に供するものである。
【００１４】
また、各ゲージ構成リング２の識別は、前記実施例と同様にゲージ構成リング２にサイズ表示部５を形成した場合を示したが、ゲージ構成リング２にサイズ表示部５を設けず、ケース１０の収納個所に表示部（図示せず）を設けて収納するゲージ構成リング２の内径寸法またはこれに適合する号数などを表示するものでもよく、公知の構成を用いてもよい。
その他のゲージ構成リング２の構成は、前記実施例１と同様であるのでその説明を省略する。
【００１５】
このように構成されているので、使用者は、多数のゲージ構成リング２を嵌めて自分の指に最もフィットするサイズのゲージ構成リング２を調べ、自分の指のサイズを測定することができる。
【図面の簡単な説明】
【００１６】
【図１】実施例１のリングゲージの斜視図である。
【図２】実施例２のリングゲージの斜視図である。
【図３】ゲージ構成リングの平面図であって、（ａ）はコーナーが湾曲状に面取りされたもの、（ｂ）はコーナーが直角のもの、（ｃ）はコーナーが斜線状に面取りされたもの、（ｄ）は縦、横の辺が湾曲したものである。
【符号の説明】
【００１７】
１    リングゲージ
２    ゲージ構成リング
２ｃ  コーナー部
５    サイズ表示部
１０    ケース
【手続補正３】
【補正対象書類名】図面
【補正対象項目名】図４
【補正方法】削除
【補正の内容】
【手続補正４】
【補正対象書類名】図面
【補正対象項目名】図５
【補正方法】削除
【補正の内容】